(57)【要約】【課題】回析効果などを少なくして、良好な周波数特性が得られるマイクロホンを提供する。【解決手段】音声の入力で振動する振動板１３（又はコンデンサ膜）を有し、その振動板１３（又はコンデンサ膜）の振動で音声信号を得るマイクユニット１４を備えたマイクロホン１０である。そして、そのマイクユニット１４が取り付けられ、マイクユニット表面の振動板１３（又はコンデンサ膜）の周囲と、ほぼ曲面で接続される筐体１２を備える構成とした。【選択図】図１
2009296279.tif 000002
【特許請求の範囲】
【請求項１】
音声の入力で振動する振動板又はコンデンサ膜を有し、その振動板又はコンデンサ膜の振動で音声信号を得るマイクユニットと、
前記マイクユニットが取り付けられ、前記マイクユニット表面の振動板又はコンデンサ膜の周囲と、ほぼ曲面で接続される筐体とを備えたマイクロホン。
【請求項２】
請求項１記載のマイクロホンにおいて、
前記マイクユニット表面の振動板についても、前記筐体の曲面と連続する曲面形状としたマイクロホン。
【請求項３】
請求項２記載のマイクロホンにおいて、
前記筐体をほぼ球形の形状とし、前記マイクユニット表面の振動板を、前記筐体の球形形状と連続する曲面形状としたマイクロホン。
【請求項４】
請求項１記載のマイクロホンにおいて、
前記マイクユニットとして、低音域用マイクユニットと、高音域用マイクユニットとを備え、
少なくともいずれか一方のマイクユニットの振動板又はコンデンサ膜の周囲を、前記筐体の曲面と接続したマイクロホン。
【請求項５】
請求項１記載のマイクロホンにおいて、
前記マイクユニットとして、音声の入力方向に指向性を有するマイクユニットとし、前記筐体の所定箇所に、前記マイクユニットの背圧取り入れ用の孔を設けたマイクロホン。
【請求項６】
請求項１記載のマイクロホンにおいて、
前記マイクユニットとして、微小形状の複数のマイクユニットを用意し、前記筐体の曲面部に前記微小形状の複数のマイクユニットを配置したマイクロホン。
【発明の詳細な説明】
【技術分野】
【０００１】
本発明は、入力した音声による音声信号を得るマイクロホンに関する。
【背景技術】
【０００２】
従来のマイクロホンは、例えば円筒形状の筐体に、コーン形状の振動板を有するマイクユニットを取り付ける形状とするか、或いは、平面形状のマイクユニットを取り付けるか、或いはまた、ドーム形状のマイクユニットを取り付ける形状としてある。
【０００３】
このような従来のマイクロホンは、基本的に１個の筐体に１つのマイクユニットを取り付けてあり、その１つのマイクユニットで、低域から高域までの全ての帯域の音声を入力させて音声信号に変換するように構成してある。ステレオ収録用などで、１個の筐体に複数のマイクユニットを取り付けたものも存在するが、この場合でも、それぞれのマイクユニットで、低域から高域までの全ての帯域の音声を入力させて音声信号に変換するように構成してある。
【０００４】
ここでは、振動板を使用したいわゆるダイナミック型のマイクユニットを例にしたが、コンデンサ膜を使用した、コンデンサ型のマイクユニットの場合も同様である。
特許文献１には、この種のマイクロホンの一例についての記載がある。
【特許文献１】特開２０００−３２４５８６号公報
【発明の開示】
【発明が解決しようとする課題】
【０００５】
ところで、従来のマイクロホンは、必ずしも十分な特性が得られているとは言えなかった。即ち、マイクユニットが取り付けられる筐体が、円筒形あるいは角形形状をしているため、回析効果による軸上特性の劣化、コーン形状又はドーム形状振動板によるバッフル面からの窪み、あるいは出っ張りによる軸上、指向特性の劣化、さらにはバッフル終端からの音の反射、筐体内部での反射音、筐体自身の振動音が不要な音をもたらし、マイクユニットで得られる音声信号の劣化をもたらしていた。
【０００６】
また、従来マイクロホンで集音する周波数帯域は、一般的な可聴周波数範囲である、２０Ｈｚ〜２０ｋＨｚ程度が最も広い範囲であったが、近年、オーディオ特性の向上に伴い、２０ｋＨｚ以上１００ｋＨｚ程度まで集音できるマイクロホンが要求されている。
２０ｋＨｚ以上の周波数帯域は可聴帯域外であるが、近年の研究により、この可聴帯域外の周波数成分を集音して再生することで、一層良好に感覚に訴えることができることが判ってきている。
このような非常に高い周波数まで拾うマイクロホンを考えた場合、特に周波数特性の凹凸が発生していることが問題になっている。
【０００７】
本発明はこれらの点に鑑みてなされたものであり、回析効果などを少なくして、良好な周波数特性が得られるマイクロホンを提供することを目的とする。
【課題を解決するための手段】
【０００８】
本発明は、音声の入力で振動する振動板又はコンデンサ膜を有し、その振動板又はコンデンサ膜の振動で音声信号を得るマイクユニットを備えたマイクロホンである。そして、そのマイクユニットが取り付けられ、マイクユニット表面の振動板又はコンデンサ膜の周囲と、ほぼ曲面で接続される筐体を備える構成としたものである。
【発明の効果】
【０００９】
本発明によると、マイクユニット表面の振動板又はコンデンサ膜の周囲と、ほぼ曲面の個所で筐体と接続される構成としたことで、マイクロホンの特性を良好にすることができる。
具体的には筺体のほぼ曲面の個所で、振動板又はコンデンサ膜の周囲と接続したことで、回析を少なくすることができる。
また、指向特性による周波数特性のピークディップが少なくなり、フラットな良好な周波数特性が得られるようになる。
また、回析による２次音源が発生しないため、受音の質が向上すると共に、解像度も向上する。
また、マイクユニットが取り付けられる筺体が曲面部を備えるため、筺体として形状的に強い構造となり、キャビネット振動が減少し、音質の向上につながる。
【００１０】
また、低音域用のマイクユニットと高音域用のマイクユニットを配置した場合には、タイムアライメントが取れ、そのマイクユニットが拾った音声信号を再生させることで、音場再現能力が向上する。
【００１１】
さらにまた、微小なマイクロホンを複数曲面部に配置することで、周波数特性に優れ、感度も得られるマイクロホンを形成させることができる。
【発明を実施するための最良の形態】
【００１２】
以下、本発明の第１の実施の形態を、図１及び図２を参照して説明する。
図１（ａ）及び（ｂ）は、本実施の形態のマイクロホンの正面図及び側面図である。
本実施の形態のマイクロホン１０は、図１（ａ）に示すように、所定の長さの筒部１１の先端に、ほぼ卵型の楕円の球形の筺体部１２を取り付けてある。これら筒部１１及び筺体部１２は、例えば金属又は樹脂成形で構成させる。
【００１３】
そして楕円の球形の筺体部１２内に、マイクユニット１４を取り付ける。ここでは、マイクユニット１４として、振動板（ダイアフラム）１３を備えた、いわゆるダイナミック型のユニットとしてある。ダイナミック型のマイクユニット１４の内部の具体的構成については、ここでは特に示さないが、音声を拾うことで振動板１３が振動し、その振動により、ユニット内のコイルが振動し、コイルに近接した磁石との作用で、コイルから電気信号（音声信号）を得るものである。
【００１４】
本実施の形態においては、図１に示すように、マイクユニット１４が備える振動板１３を、筺体部１２の表面とほぼ一体になる形状に配置してある。即ち、振動板１３の周囲の縁部を、筺体部１２の表面と連続するように配置してある。また、振動板１３そのものの表面を、筺体部１２の表面の曲面とほぼ一体化する曲率の曲面としてある。
【００１５】
図１の例では、振動板１３は、楕円の球形の筺体部１２の中央よりも若干先端側に配置してあるが、筐体部１２のその他の位置に配置してもよい。例えば、筐体部１２の先端部（図１での最も上側になる位置）に配置してもよい。
【００１６】
本実施の形態の構成としたことで、マイクロホンとして良好な特性のものが得られる。
図２はこのことを説明した特性図である。
図２（ａ）〜（ｄ）は、マイクユニットを収納する筐体の形状により、マイクロホンとしての総合的な周波数特性が変化することを示したものであり、図２（ａ）〜（ｄ）の周波数特性は、全て同じマイクユニット１を使用して、筐体の形状だけを変えたものである。この例では、マイクユニット１として、１００ｋＨｚ以上の周波数まで感度を有するものを使用してあり、マイクユニット１のサイズは直径４ｍｍ程度の比較的小型のものを使用してある。また、各例の筐体２，３，４，５のサイズとしては、１辺が３０ｍｍの四角形状とした例である。
【００１７】
図２（ａ）の例では、四角形状の筐体２の上面にマイクユニット１を配置してあり、その筐体２の上面の角部２ａを、直角形状としてある。この図２（ａ）に示す形状の筐体２に配置したとき、図示のように、２０ｋＨｚ程度以上の周波数で、感度が落ちる谷が発生していて、フラットとは言えない特性になっている。
【００１８】
図２（ｂ）の例では、四角形状の筐体３の上面にマイクユニット１を配置してあり、その筐体３の上面の角部３ａを、半径５ｍｍの曲面部（Ｒ部）としてある。この図２（ｂ）に示す形状の筐体３に配置したとき、図２（ａ）の状態よりも特性がフラットになっている。
【００１９】
図２（ｃ）の例では、四角形状の筐体４の上面にマイクユニット１を配置してあり、その筐体４の上面の角部４ａを、半径１０ｍｍの曲面部（Ｒ部）としてある。この図２（ｃ）に示す形状の筐体４に配置したとき、図２（ａ），（ｂ）の状態よりもさらに特性がフラットになっている。
【００２０】
図２（ｄ）の例では、四角形状の筐体５の上面にマイクユニット１を配置してあり、その筐体５の上面の角部５ａを、半径１５ｍｍの曲面部（Ｒ部）としてある。この図２（ｄ）に示す形状の筐体５に配置したとき、図２（ａ），（ｂ），（ｃ）の状態よりもさらに特性がフラットになっている。
【００２１】
このように図２からも明らかなように、マイクユニットを収納する筐体として、マイクユニット表面の振動板と一体化する曲面を備えることで、回析効果を減らすことができ、特性を向上させることができる。図２（ａ）に示すように、角が直角の筐体である場合には、回析効果が発生して特性が劣化すると共に、その角部の形状による反射音が発生して、特性に現われる以上に音質が劣化している。
本特許出願の出願人らによる実験では、図１に示す球形の筐体構成として、振動板が筐体表面と一体化する形状としたことで、回析効果を最も少なくして、良好な周波数特性とすることができることが判った。
【００２２】
また、マイクユニットを収納する筐体に曲面部を設けることで、形状的に強い構造となり、筐体そのものの振動が減少し、音質の向上に貢献する。
【００２３】
なお、マイクユニットの振動板に連続する筐体面（バッフル面）の曲面の曲率としては、バッフル面（即ち振動板の周囲の面）を平面として、そのバッフル面の１辺のサイズの１／８以上の半径の曲面としたとき、良好な特性となる。
【００２４】
次に、本発明の第２の実施の形態を、図３を参照して説明する。
図３は、本実施の形態のマイクロホンの正面図である。
本実施の形態のマイクロホン２０は、図３に示すように、所定の長さの筒状の筐体部２１の先端が、所定の曲率で半球状に曲がった曲面部２２としてある。そして、この曲面部３２の先端部に、マイクユニット２４の振動板２３を配置してある。この例での振動板２３についても、筐体２１側の曲面部３２と一体となって半球状になる曲率の曲面形状としてある。筐体部２１は、金属や樹脂などで構成させる。
【００２５】
この図３に示す構成とした場合にも、第１の実施の形態の場合と同様に、良好な特性のマイクロホンが得られる。
【００２６】
次に、本発明の第３の実施の形態を、図４を参照して説明する。
図４は、本実施の形態のマイクロホンの正面図である。
本実施の形態のマイクロホン３０は、図４に示すように、所定の長さの筒状の筐体部３１の先端の縁を、所定の曲率で曲がった曲面部３２として、その曲面部３２で囲まれる先端部を平面部３３としてある。そして、この平面部３３に、マイクユニット３５の振動板３４を配置してある。この例での振動板３４は、凸状に湾曲した曲面形状としてある。筐体部３１は、金属や樹脂などで構成させる。曲面部３２の曲率としては、例えば筐体部３１の直径の１／８以上の大きさの半径とする。
【００２７】
この図４に示す構成とした場合にも、第１，第２の実施の形態の場合と同様に、良好な特性のマイクロホンが得られる。
【００２８】
次に、本発明の第４の実施の形態を、図５を参照して説明する。
図５は、本実施の形態のマイクロホンの正面図である。
本実施の形態のマイクロホン４０は、図５に示すように、所定の長さの筒状の筐体部４１の先端の縁を、所定の曲率で曲がった曲面部４２として、その曲面部４２で囲まれる先端部を平面部４３としてある。そして、この平面部４３に、マイクユニット４５の平面状の振動板４４を配置してある。筐体部４１は、金属や樹脂などで構成させる。
この図５の例のマイクロホン４０は、図４の例のマイクロホン３０に比べて、振動板４４を平面状としてある点が異なるものである。曲面部４２の曲率としては、例えば筐体部３１の直径の１／８以上の大きさの半径とする。
【００２９】
この図５に示す構成とした場合にも、上述した各実施の形態の場合と同様に、良好な特性のマイクロホンが得られる。
【００３０】
次に、本発明の第５の実施の形態を、図６を参照して説明する。
図６（ａ）及び（ｂ）は、本実施の形態のマイクロホンの正面図及び上面図である。
本実施の形態のマイクロホン５０は、図６に示すように、所定の長さの筒部５１の先端寄りを、細径部５２としてある。そして、その細径部５２の先端に、ほぼ球形の筺体部５３を設けてある。
そして、その球形の筺体部５３の先端に、マイクユニット（図示せず）の振動板５４を配置する。この例での振動板５４は、凸状に湾曲した曲面形状としてあり、球形の筺体部５３と連続する曲率としてある。筐体部５３は、金属や樹脂などで構成させる。
なお、この図６の例では、筐体部５３を、一定の半径の球形としたが、例えば卵形のような楕円形状に構成してもよい。
【００３１】
この図６に示す構成とした場合にも、上述した各実施の形態の場合と同様に、良好な特性のマイクロホンが得られる。
【００３２】
次に、本発明の第６の実施の形態を、図７を参照して説明する。
図７（ａ）及び（ｂ）は、本実施の形態のマイクロホンの正面図及び上面図である。
本実施の形態のマイクロホン６０は、図７に示すように、所定の長さの筒部６１の先端寄りを、細径部６２としてある。そして、その細径部６２の先端に、ほぼ球形の筺体部６３を設けてある。
そして、その球形の筺体部６３の先端に、平面部６４を設け、その平面部６４に、マイクユニット（図示せず）の振動板６５を配置する。この例での振動板６５は、その周囲の筐体の平面部６４と連続する平面形状としてあり、筐体部６３の形状と連続する構成としてある。筐体部６３は、金属や樹脂などで構成させる。
この図７の例の場合にも、筐体部６３を、一定の半径の球形としたが、例えば卵形のような楕円形状に構成してもよい。
【００３３】
この図７に示す構成とした場合にも、上述した各実施の形態の場合と同様に、良好な特性のマイクロホンが得られる。
【００３４】
次に、本発明の第７の実施の形態を、図８を参照して説明する。
図８（ａ）及び（ｂ）は、本実施の形態のマイクロホンの正面図及び側面図である。
本実施の形態のマイクロホン１０′は、筐体の基本的な構成については、第１の実施の形態で説明したマイクロホン１０と同じである。即ち、図８（ａ）に示すように、所定の長さの筒部１１の先端に、ほぼ卵型の楕円の球形の筺体部１２を取り付けてある。これら筒部１１及び筺体部１２は、例えば金属又は樹脂成形で構成させる。
【００３５】
そして楕円の球形の筺体部１２内に、複数のマイクユニット１７，１８の振動板１５，１６を取り付ける。この例では、この２つのマイクユニット１７，１８は、マイクロホン１０′の軸（筒部１１の中心軸）に沿って、球形の筐体部１２に上下に配置してある。
ここでは、マイクユニット１７として、低音域用振動板１５を備えた低音域用のマイクユニットとしてあり、マイクユニット１８として、高音域用振動板１６を備えた高音域用のマイクユニットとしてある。高音域用振動板１６は、低音域用振動板１５よりも大きな形状であり、それぞれの振動板１５，１６が、楕円の球形の筺体部１２の表面と連続するような曲率の曲面としてある。
それぞれのマイクユニット１７，１８で集音する音の周波数帯域としては、例えば１００Ｈｚ程度の周波数より低い周波数と、１００Ｈｚ程度の周波数より高い周波数として、それぞれの周波数成分の信号を合成して、マイクロホン１０′から出力させる構成としてある。
【００３６】
この図８に示すように、いわゆる２ウェイ型のマイクロホンとして構成することで、例えば高音域側のマイクユニットで、１００ｋＨｚ程度の高域まで入力させるようにしたとき、１００Ｈｚ以下などの低域音を扱う必要がなく、高域音に適したマイク構成とすることができ、低音域側のマイクユニットについても、１００ｋＨｚ程度以下の低域音だけを扱えばよく、低域音に適したマイク構成とすることができ、結果的に低域音から高域音まで良好な特性とすることができる。
しかも本実施の形態の構成の場合には、それぞれの振動板１５，１６として、筐体１２の曲面形状に連続させた曲率の曲面形状としたことで、回析効果を減らした良好な特性とでき、より良好な特性が得られる。
また本実施の形態の構成の場合には、２つの振動板１５，１６のタイムアライメントが取れるので、音場再現能力が向上する。
【００３７】
次に、本発明の第８の実施の形態を、図９を参照して説明する。
図９（ａ）及び（ｂ）は、本実施の形態のマイクロホンの正面図及び上面図である。
本実施の形態のマイクロホン７０は、図９に示すように、所定の長さの筒部７１の先端寄りを、細径部７２としてある。そして、その細径部７２の先端に、卵形の楕円形状の筺体部７３を設けてある。
そして、その楕円形状の筺体部７３に、低音域用振動板７４と高音域用振動板７５とを取り付ける。低音域用振動板７４と高音域用振動板７５とは、例えば筒部７１の長手方向に上下に並べて配置し、それぞれの振動板７４，７５を、凸状に湾曲した曲面形状として、球形の筺体部７３と連続する曲率としてある。筐体部７３は、金属や樹脂などで構成させる。
なお、この図９の例では、筐体部５３を、卵形の楕円形状としたが、例えばほぼ完全な球形としてもよい。
低音域用振動板７４と高音域用振動板７５とで分担する周波数帯域などの設定については、例えば図８の例と同様とする。
【００３８】
この図９に示す構成とした場合にも、図８の例の場合と同様に、良好な特性のマイクロホンが得られる。
【００３９】
次に、本発明の第９の実施の形態を、図１０を参照して説明する。
図１０は、本実施の形態のマイクロホンの正面図である。
本実施の形態のマイクロホン８０は、図１０に示すように、所定の長さの筒状の筐体部８１の先端が、所定の曲率で半球状に曲がった曲面部８２となっている。そして、この曲面部８２の先端部に、マイクユニット（図示せず）の振動板８３を配置してある。この例での振動板８３についても、筐体８１側の曲面部８２と一体となって半球状になる曲率の曲面形状としてある。筐体部８１は、金属や樹脂などで構成させる。
【００４０】
ここで本実施の形態の振動板８３を備えたマイクユニットとしては、所定の方向（例えば図１０での上側）からの音に対して高い感度を持つ、指向性を持った構成としてある。この指向性を持たせるために、筐体部８１の先端部から若干下側の位置に、所定間隔で複数のスリット８４を設けて、背圧取り入れ用スリットとして機能させる。
【００４１】
この図１０に示す指向性マイクロホンとした場合にも、良好な特性のマイクロホンが得られる。
【００４２】
次に、本発明の第１０の実施の形態を、図１１を参照して説明する。
図１１は、本実施の形態のマイクロホンの正面図である。
本実施の形態のマイクロホン９０は、図１１に示すように、所定の長さの筒部９１の先端寄りを、細径部９２としてある。そして、その細径部９２の先端に、ほぼ球形の筺体部９３を設けてある。
そして、その球形の筺体部９３の先端に、マイクユニット（図示せず）の振動板９４を配置する。この例での振動板９４は、凸状に湾曲した曲面形状としてあり、球形の筺体部９３と連続する曲率としてある。筐体部９３は、金属や樹脂などで構成させる。
【００４３】
本実施の形態の振動板９４を備えたマイクユニットとしては、所定の方向（例えば図１１での上側）からの音に対して高い感度を持つ、指向性を持った構成としてある。この指向性を持たせるために、筐体部９３の下側の位置に、所定間隔で複数のスリット９５を設けて、背圧取り入れ用スリットとして機能させる。
【００４４】
この図１１に示す指向性マイクロホンとした場合にも、良好な特性のマイクロホンが得られる。
【００４５】
次に、本発明の第１１の実施の形態を、図１２を参照して説明する。
図１２は、本実施の形態のマイクロホンの正面図である。
本実施の形態のマイクロホン１００は、図１２に示すように、所定の長さの筒状の筐体部１０１の先端が、所定の曲率で半球状に曲がった曲面部１０２としてある。そして、この曲面部１０２の表面に、微小なマイクユニット１０３を多数配置してある。微小なマイクユニット１０３は、例えば１個が数ｍｍ角程度の微小なサイズであり、それぞれのマイクユニット１０３が振動板（図示せず）を備える。
【００４６】
この多数配置されたマイクユニット１０３で得た音声信号は合成して１系統の信号として、マイクロホン１００の出力音声信号とする。
この図１２に示した構成とすることでも、良好な特性のマイクロホンが得られる。
【００４７】
次に、本発明の第１２の実施の形態を、図１３を参照して説明する。
図１３は、本実施の形態のマイクロホンの正面図である。
本実施の形態のマイクロホン１１０は、図１３に示すように、所定の長さの筒部１１１の先端寄りを、細径部１１２としてある。そして、その細径部１１２の先端に、ほぼ球形の筺体部１１３を設けてある。
そして、その球形の筺体部１１３の先端側（上側）の表面に、微小なマイクユニット１１４を多数配置してある。微小なマイクユニット１１４としては、例えば１個が数ｍｍ角程度の微小なサイズであり、それぞれのマイクユニット１１４が振動板（図示せず）を備える。
【００４８】
この多数配置されたマイクユニット１１４で得た音声信号は合成して１系統の信号として、マイクロホン１１０の出力音声信号とする。
この図１３に示した構成とすることでも、良好な特性のマイクロホンが得られる。
【００４９】
なお、ここまで説明した各実施の形態では、各マイクユニットが備える振動板を、マイクロホンの外側に直接露出させた構成としたが、振動板が配置された筺体部の表面に、何らかの保護部材を配置するようにしてもよい。例えば、金属又は樹脂成型された網目状の保護部材を、マイクユニット配置位置に被せる構成としてもよい。あるいは、スポンジ状のウインドスクリーンなどの保護部材を被せるようにしてもよい。いずれにしても、保護部材は、音響的な特性を劣化させない構成のものを配置するのが好ましい。
【００５０】
また、ここまで説明した各実施の形態では、マイクロホンが備えるマイクユニットとして、振動板を備えたマイクユニットとしたが、その他の方式のマイクユニットにも適用可能である。例えば、半導体チップでマイクロホンが構成された半導体マイクにも適用してもよい。この半導体マイクは、小型なマイクユニットであるので、例えば図１２の例や図１３の例のように多数のマイクユニットを配置する場合に特に好適である。
或いはまた、振動板の代わりにコンデンサ膜を配置して、そのコンデンサ膜の入力音声による振動を誘電率の変化で検出する、いわゆるコンデンサ型のマイクユニットにも適用しても良い。但し、コンデンサ型のマイクユニットが備えるコンデンサ膜は平面状であり、平面状に配置して、そのコンデンサ膜の周囲が筺体側の曲面と接続される構成となる。
【００５１】
また、各実施の形態で図示した形状は、好適な一例を示したものであり、それぞれ図示した形状に限定されるものではない。例えば、筐体部の楕円形状として卵形形状を例にして示したが、その他の楕円形状や、ラグビーボール型形状など、様々な円形形状が適用可能である。
【００５２】
また、ここまでの説明で示したマイクロホンは、球形などの筐体に配置したマイクユニットで、１チャンネルの音声信号を得る構成としたが、例えば、球形の筐体に所定の間隔を配置して、複数のマイクユニットを配置して、それぞれで別のチャンネル（右チャンネル及び左チャンネル）の音声信号を得る構成としてもよい。
【図面の簡単な説明】
【００５３】
【図１】本発明の第１の実施の形態によるマイクロホンの構成例を示す正面図及び側面図である。
【図２】筺体の形状によるマイクロホンの特性例を示す波形図である。
【図３】本発明の第２の実施の形態によるマイクロホンの構成例を示す正面図である。
【図４】本発明の第３の実施の形態によるマイクロホンの構成例を示す正面図である。
【図５】本発明の第４の実施の形態によるマイクロホンの構成例を示す正面図及び上面図である。
【図６】本発明の第５の実施の形態によるマイクロホンの構成例を示す正面図及び上面図である。
【図７】本発明の第６の実施の形態によるマイクロホンの構成例を示す正面図及び上面図である。
【図８】本発明の第７の実施の形態によるマイクロホンの構成例を示す正面図及び側面図である。
【図９】本発明の第８の実施の形態によるマイクロホンの構成例を示す正面図及び上面図である。
【図１０】本発明の第９の実施の形態によるマイクロホンの構成例を示す正面図である。
【図１１】本発明の第１０の実施の形態によるマイクロホンの構成例を示す正面図である。
【図１２】本発明の第１１の実施の形態によるマイクロホンの構成例を示す正面図である。
【図１３】本発明の第１２の実施の形態によるマイクロホンの構成例を示す正面図である。
【符号の説明】
【００５４】
１…マイクユニット、２，３，４，５…筐体、２ａ，３ａ，４ａ，５ａ…筐体角部（Ｒ部）、１０，１０′…マイクロホン、１１…筒部、１２…筺体部、１３…振動板、１４…マイクユニット、１５…低音域用振動板、１６…高音域用振動板、１７…低音域用マイクユニット、１８…高音域用マイクユニット、２０…マイクロホン、２１…筺体部、２２…曲面部、２３…振動板、２４…マイクユニット、３０…マイクロホン、３１…筺体部、３２…曲面部、３３…平面部、３４…振動板、３５…マイクユニット、４０…マイクロホン、４１…筺体部、４２…曲面部、４３…平面部、４４…振動板、４５…マイクユニット、５０…マイクロホン、５１…筒部、５２…細径部、５３…筺体部、５４…振動板、６０…マイクロホン、６１…筒部、６２…細径部、６３…筺体部、６４…平面部、６５…振動板、７０…マイクロホン、７１…筒部、７２…細径部、７３…筺体部、７４…低音域用振動板、７５…高音域用振動板、８０…マイクロホン、８１…筺体部、８２…曲面部、８３…振動板、８４…スリット、９０…マイクロホン、９１…筒部、９２…細径部、９３…筺体部、９４…振動板、９５…スリット、１００…マイクロホン、１０１…筺体部、１０２…曲面部、１０３…微小マイクユニット、１１０…マイクロホン、１１１…筒部、１１２…細径部、１１３…筺体部、１１４…微小マイクユニット
【図１】
2009296279.tif 000003
【図２】
2009296279.tif 000004
【図３】
2009296279.tif 000005
【図４】
2009296279.tif 000006
【図５】
2009296279.tif 000007
【図６】
2009296279.tif 000008
【図７】
2009296279.tif 000009
【図８】
2009296279.tif 000010
【図９】
2009296279.tif 000011
【図１０】
2009296279.tif 000012
【図１１】
2009296279.tif 000013
【図１２】
2009296279.tif 000014
【図１３】
2009296279.tif 000015